(57)【要約】【課題】  本発明は、規定通り適正に使用でき、誤った使用方法による落下事故等を未然に防止することができる安全性をより高めた緩降機を提供する。【解決手段】  本発明の緩降機は、一方の着用具５０とその着用具５０が連結されているロープ４０一端のある長さ分とを同色Ｒに着色し、他方の着用具６０とその着用具６０が連結されているロープ４０他端のある長さ分とを前記とは異なる色で同色Ｂに着色する。使用者は、着用具５０，６０の色と調速器２のすぐ下に延びているロープ４０の着色端部４０ａ，４０ｂの色が同色であることを確認することで、緊急時であっても最初の使用者から確実に装着すべき着用具を装着し、安全に降下することができる。【選択図】図４
2006187502.tif 000002
【特許請求の範囲】
【請求項１】
一方の着用具とその着用具が連結されているロープ一端のある長さ分とを同色に着色し、他方の着用具とその着用具が連結されているロープ他端のある長さ分とを前記とは異なる色で同色に着色したことを特徴とする緩降機。
【請求項２】
降下開始場所から容易に見える位置に、使用者が装着すべき着用具を色で確認させるための表示手段を設けた請求項１に記載の緩降機。
【請求項３】
調速器或いはその近傍に、ロープの色を検出するための色検出手段と、その色検出手段に基づいて使用者が装着すべき着用具を使用者に音声により報知する報知手段とを設けた請求項１に記載の緩降機。
【請求項４】
各着用具に異なる信号を出力する発信器と、調速器或いはその近傍に前記各発信器の出力に基づいて使用者が装着すべき着用具を使用者に音声により報知する報知手段とを設けた請求項１に記載の緩降機。
【発明の詳細な説明】
【技術分野】
【０００１】
本発明は、火災発生時等の緊急時に避難者が建物の上階より他人の力を借りずに自重により自動的に連続交互に緩降下する避難器具、緩降機に関する。
【背景技術】
【０００２】
図１〜図３を参照して従来の緩降機を説明する。図１は従来の緩降機の収納状態を示す外観図、図２は従来の緩降機の使用状態を示す外観図、図３は従来の緩降機による降下状態を示す外観図である。
【０００３】
図１〜図３において、１は従来の緩降機であり、緩降機本体である調速器２、調速器２の連結部３、調速器２を経由するロープ４、使用者の身体を保持する第１及び第２着用具（ベルト）５，６、ロープ４の両端に第１及び第２着用具５，６を連結する緊結金具７，７で構成されている。調速器２は、ロープ４の先端に掛かる荷重によって、降下する速度を一定の範囲に自動的に調節するものであり、滑車、歯車、遠心ブレーキ、これらを内蔵するハウジングで構成され、ロープ４が動くと滑車軸に連動した歯車が回転し、その回転が速まると遠心ブレーキが動き、加速度をゼロに保ち、体重の軽重、降下距離にかかわらず一定の降下速度に自動的に調節し、使用者を安全に降下させるものである。ロープ４は、使用者の荷重を調速器２に伝え、調速器２が調節した降下速度によって使用者を安全に降下させるものである。また、ロープ４には、端から端まで外装の材色（白色）で無着色のものが使用されている。第１及び第２着用具５，６は、使用者の身体（胸部）を保持し、その荷重をロープ４を通じて調速器２に伝えるものであり、ベルト５ａ，６ａの一端に設けられたリング５ｂ，６ｂにこのベルト５ａ，６ａを通してできる環５ｃ，６ｃを使用者が身体に装着することで、内蔵されたバネの力で自動的にリング５ｂ，６ｂが引き寄せられ、緩み過ぎを防止し、使用者の身体を適正に保持できるものになっている。また、ロープ４の両端に連結されている第１及び第２着用具５，６には、端から端までベルト材の材色（白色）で無着色の外観上も全く同じものが使用されている。
【０００４】
次に、従来の緩降機１の保管は、図１に示すように、調速器２よりいっぱいに延ばしたロープ４を、捩れ等を生じさせないように、その端部に連結されている一方の着用具、例えば第２着用具６を先端としてリール８に巻取った収納状態で、調速器２，ロープ４，第１及び第２着用具５，６等の緩降機１の全部品を図示しない収納箱に収納し、建物の窓際やベランダ等の降下開始場所（避難位置）に設置されている取付具９（図２，図３参照）と一緒に或いはその付近にて行われる。
【０００５】
また、従来の緩降機１の使用方法は、図２に示すように、先ず、取付具９を設定し、収納箱から緩降機１の全部品を取出し、調速器２をその連結部３を介して取付具９に取り付ける。調速器２の連結部３は、安全環３ａと止め金具３ｂで構成され、安全環３ａを取付具９のアーム９ａ先端の吊り環９ｂに掛け、止め金具３ｂを締め上げることで、調速器２を取付具９に取り付けることができる。次いで、安全環３ａが確実に締まっていることを確認し、降下空間及び付近の安全を確認した後、リール８を窓やベランダから建物の外に投下し、リール８に巻かれているロープ４及び第２着用具６を解き延ばす。これにより、調速器２のすぐ下に第１着用具５が吊り下げられる一方、第２着用具６は、予め設定されているロープ長（調速器２よりいっぱいに延ばしたロープ長）により降着面（地盤面等、降下、着地する面）に降ろされる。次いで、取付具９、調速器２、ロープ４、第１着用具５等を点検し、異常の有無と降下空間近くの安全を確認した後、最初の使用者は、調速器２のすぐ下に吊り下げられている第１着用具５の環５ｃを頭から被り、捩れのないように脇の下に確実に装着し、両手で調速器２すぐ下の２本のロープ４を握り、建物の外に出て、窓枠やベランダに足を掛け、降下姿勢をとり、両手をロープ４から離し、その手を建物の外壁に向けて軽く伸ばして降下する（図３参照）。着地したら上の降下開始場所で待っている次の使用者のために、素早く第１着用具５を外し、安全な場所へ避難する。最初の使用者が第１着用具５を装着して降下することで、最初に降着面に降ろされていた第２着用具６が、調速器２のすぐ下に引き上げられ、次の使用者は、その第２着用具６を装着して降下することができる。このように、つるべ式に１人ずつ交互に降下することができる。
【０００６】
以上、従来の緩降機１は、その構造及び機能に関する基準が定められた検定対象品であり、また、取付具９についても、その構造や設置の基準が定められ、さらに両者ともに維持、管理について基準が定められ、規定通り適正に使用された場合は何ら問題なく極めて安全に緩降下できるものになっている。
【特許文献１】特開平９−９４３０２号公報（図５参照）
【発明の開示】
【発明が解決しようとする課題】
【０００７】
しかしながら、緩降機１を使用する時は火災発生時等の緊急時であり、使用者が平静を保つことは非常に困難である。また、従来の緩降機１は、ロープ４の両端に構造及び機能、さらに外観上も全く同じ第１及び第２着用具５，６が連結されていて、両者の見分けが付かず、使用者が装着すべき着用具か、そうでないかの判別・確認が困難であった。このため、緩降機１を収納箱から取出し、調速器２を取付具９に取り付けた後、リール８を建物の外へ投下すべきところを、場合によっては、降下開始場所でリール８に巻かれているロープ４を解き延ばし、延ばされたロープ４の端部に連結されている第２着用具６を身体に装着し、降下してしまう可能性がある。この場合は、調速器２が働かないので、落下事故になる。
【０００８】
本発明は上記の事情に鑑みてなされたものであり、規定通り適正に使用でき、誤った使用方法による落下事故等を未然に防止することができる安全性をより高めた緩降機を提供することを目的としている。
【課題を解決するための手段】
【０００９】
上記目的を達成するため、本発明の緩降機は、一方の着用具とその着用具が連結されているロープ一端のある長さ分とを同色に着色し、他方の着用具とその着用具が連結されているロープ他端のある長さ分とを前記とは異なる色で同色に着色したことを特徴とする。
【００１０】
本発明によれば、ロープの両端に連結されている２つの着用具が、それらに着色されている色によって一目で見分けることができるようになり、また、使用者が装着すべき着用具の色と同色で、しかも使用者が装着すべきではない着用具の色とは異なる色のロープが、必ず調速器のすぐ下に延びる。このため、使用者が装着すべき着用具を調速器のすぐ下に延びているロープの色と同色のものに規定することができる。使用者は、着用具の色と調速器のすぐ下に延びているロープの色を見比べるだけで、その着用具が装着すべき適正なものか、そうでないかを、一目で判別・確認することができる。この結果、使用者は、着用具の色と調速器のすぐ下に延びているロープの色が同色であることを確認することで、緊急時であっても最初の使用者から確実に装着すべき着用具を装着し、安全に降下することができる。
【００１１】
２つの着用具とロープ両端の着色には、任意の色を使用できるが、色合いのはっきりした強い原色、例えば光の３原色（赤、緑、青）や絵の具・印刷インク等の３原色（青緑・赤紫・黄）のうち２色を使用することが望ましい。また、ロープ両端の着色端部以外はその外装の素材色（白色）を残すように無着色とすることが望ましい。この構成を付加することで、調速器のすぐ下に延びているロープの色がよく目立ち、装着すべき着用具の判別・確認が確実、かつ迅速・容易に行うことができる。ロープ両端の着色端部は、使用者が降下開始場所で装着すべき着用具を装着した状態で、その着用具が連結されているロープの着色端部が、調速器を経てそのすぐ下に所定長さ分だけ延び出る長さとする。その目安として着色端部の長さを、例えば約２〜３ｍに設定すれば、調速器すぐ下に延び出る２本のロープの０．５ｍ〜１ｍ分を着色端部とすることができる。
【００１２】
本発明においては、降下開始場所から容易に見える位置に、使用者が装着すべき着用具を色で確認させるための表示手段を設けることが望ましい。この構成を付加することで、降下する使用者に対して着用具が装着すべき適正なものか、そうでないかの判別・確認を効果的に行なわせることができる。また、この場合の表示手段としては、降下開始場所から容易に見える調速器の外側面に、例えば「着用具とロープが同色を確認」等の文字を印刷したラベルを貼り付けておく。このラベル表示は、コストが安い上に、調速器の重量増及び大形化もなく、しかも十分な表示性能も得ることができ、容易に採用することができる点で有利である。
【００１３】
本発明においては、調速器或いはその近傍に、ロープの色を検出するための色検出手段と、その色検出手段に基づいて使用者が装着すべき着用具を音声により使用者に報知する報知手段とを設ける。或いは、各着用具に異なる信号を出力する発信器と、調速器或いはその近傍に前記各発信器の出力に基づいて使用者が装着すべき着用具を音声により使用者に報知する報知手段とを設ける。ことが望ましい。この構成を採用する場合、緩降機の使用を検出する使用検出手段を設け、使用検出手段に基づいて報知手段を起動することが望ましい。この構成を付加することで、使用者自身が上記着色により着用具が装着すべき適正なものか、そうでないかを判別・確認できることに加え、上記着色を利用して使用者が装着すべき着用具を色により指定できるため、例えば「ＯＯ色の着用具を装着してください」等、音声で使用者に対して装着すべき着用具を報知することができ、緊急時であっても最初の使用者から確実に装着すべき着用具を装着し、安全に降下することができる。
【発明の効果】
【００１４】
本発明によれば、一方の着用具とその着用具が連結されているロープ一端のある長さ分とを同色に着色し、他方の着用具とその着用具が連結されているロープ他端のある長さ分とを前記とは異なる色で同色に着色したことにより、使用者は、着用具の色と調速器のすぐ下に延びているロープの色が同色であることを確認することで、緊急時であっても最初の使用者から確実に装着すべき着用具を装着し、安全に降下することができ、緊急時であっても規定通り適正に使用でき、誤った使用方法による落下事故等を未然に防止することができる安全性を高めた緩降機を提供することができた。
【００１５】
また、使用者は、報知手段により指定された色の着用具を装着し、さらに着用具の色と調速器のすぐ下に延びているロープの色が同色であることを確認することで、緊急時であっても最初の使用者から確実に装着すべき着用具を装着し、安全に降下することができ、緊急時であっても規定通り適正に使用でき、誤った使用方法による落下事故等を未然に防止することができる安全性を高めた緩降機を提供することができた。
【発明を実施するための最良の形態】
【００１６】
以下、本発明の実施の形態を図４〜図６を参照して説明する。図４は本発明に係る実施の形態による第１の実施例の緩降機の外観図である。なお、第１の実施例の緩降機について、図１〜図３に示した従来の緩降機１と同一部分には同一符号を付して、その説明を省略し、相違する部分について説明する。また、収納・保管方法及び使用方法も同じである。
【００１７】
図４において、第１の実施例の緩降機Ｐ１は、調速器２を経由するロープ４０には、その両端に異なる色、例えば赤色Ｒと青色Ｂに着色された第１着用具５０と第２着用具６０とが緊結金具７，７を介して連結されていると共に、第１着用具５０が連結されているロープ４０一端には、第１着用具５０と同色の赤色Ｒに着色された所定長さの着色端部４０ａが設けられ、第２着用具６０が連結されているロープ４０他端には、第２着用具６０と同色の青色Ｂに着色された前記着色端部４０ａと同一長さの着色端部４０ｂが設けられ、第１着用具５０とその第１着用具５０が連結されているロープ４０一端のある長さ分とを同色Ｒに着色し、第２着用具６０とその第２着用具６０が連結されているロープ４０他端のある長さ分とを前記とは異なる色で同色Ｂに着色している。
【００１８】
第１及び第２着用具５０，６０の着色は、そのベルト５０ａ，６０ａに直接施されており、例えば自動車等のシートベルトの着色に採用されている周知の着色（染色）加工によって行なうことができる。なお、緊結金具７，７とリング５０ｂ，６０ｂ間のベルト５０ａ，６０ａに図示しない安全筒ネットが装着されている着用具の場合には、その安全筒ネットもベルト５０ａ，６０ａと同色Ｒ，Ｂに着色したものを使用すると共に、ベルト５０ａ，６０ａの環５０ｃ，６０ｃの部分に図示しない緩衝材が装着されている着用具の場合には、その緩衝材もベルト５０ａ，６０ａと同色Ｒ，Ｂに着色したものを使用する。ロープ４は、各緩降機ごとに決定されるロープ長になるように、不定長のロープ材を切断して得ることを考慮し、このロープ４両端の着色は、例えば芯に施す外装に対してベルト５０ａ，６０ａと同色Ｒ，Ｂの着色剤を塗布或いはコーティングする他、外装表面を弾性材料からなるベルト５０ａ，６０ａと同色Ｒ，Ｂのチューブ状被覆材、或いは熱収縮性被覆材からなるベルト５０ａ，６０ａと同色Ｒ，Ｂのチューブ状被覆材により被覆することで行なうことができ、これによって、ロープ４０両端に前記着色端部４０ａ，４０ｂを設けている。
【００１９】
第１及び第２着用具５０，６０とロープ４０両端の着色には、任意の色を使用できるが、色合いのはっきりした強い原色、例えば光の３原色（赤、緑、青）や絵の具・印刷インク等の３原色（青緑・赤紫・黄）のうち２色、例えば上記のように赤色Ｒと青色Ｂの２色を使用することが望ましい。また、ロープ４０両端の着色端部４０ａ，４０ｂ以外はその外装の素材色（白色）を残すように無着色とし、ロープ４０両端の着色端部４０ａ，４０ｂ間に無着色部４０ｃを設けている。
【００２０】
ロープ４０両端の着色端部４０ａ，４０ｂの長さは、使用者が降下開始場所で装着すべき着用具５０又は６０を装着した状態で、その着用具５０又は６０が連結されているロープ４０端部の着色端部４０ａ又は４０ｂが、調速器２を経てそのすぐ下に所定長さ分だけ延び出る長さとする。その目安として着色端部４０ａ，４０ｂの長さを、例えば約２〜３ｍに設定すれば、調速器２のすぐ下に延びる２本のロープ４０の０．５ｍ〜１ｍ分を着色端部４０ａ又は４０ｂとすることができる。
【００２１】
また、降下開始場所から容易に見える位置には、使用者が装着すべき着用具５０又は６０を色で確認させるための表示手段１００が設けられている。この表示手段１００の一例として、降下開始場所から容易に見える調速器２の外側面に、例えば「着用具とロープが同色を確認」等の文字を印刷したラベル１１０を貼り付けている。なお、降下開始場所から容易に見える建物の壁面等に同様の内容を表示するラベルを貼り付けたり、表示プレートを設置してもよい。
【００２２】
以上のように構成された第１の実施例の緩降機Ｐ１は、ロープ４０の両端に連結されている２つの第１及び第２着用具５０，６０が、それらに着色されている色によって一目で見分けることができるようになっている。また、規定通り適正に収納・保管され、使用される場合には、使用者が装着すべき着用具５０又は６０の色と同色で、しかも使用者が装着すべきではない着用具５０又は６０の色とは異なる色のロープ４０の着色端部４０ａ又は４０ｂが、必ず調速器２のすぐ下に延びる。このため、使用者が装着すべき着用具５０又は６０を調速器２のすぐ下に延びているロープ４０の着色端部４０ａ又は４０ｂと同色のものに規定することができる。この規定を緩降機Ｐ１と一緒に収容箱に収容保管される取扱説明書や降下開始場所から容易に見える位置に設置される使用方法の表示プレート等に追加する。したがって、使用者は、着用具５０又は６０の色と調速器２のすぐ下に延びているロープ４０の着色端部４０ａ又は４０ｂの色を見比べるだけで、その着用具５０又は６０が装着すべき適正なものか、そうでないかを、一目で判別・確認することができる。この結果、緊急時であっても最初の使用者から確実に装着すべき着用具５０又は６０を装着し、安全に降下することができる。
【００２３】
特に、緩降機Ｐ１の最初の使用者が、誤って降下開始場所でリール８に巻かれているロープ４０を解き延ばし、延ばされたロープ４０の端部に連結されている着用具、例えば青色Ｂの第２着用具６０を身体に装着したとしても、この時、調速器２のすぐ下にはロープ４０の赤色Ｒの着色端部４０ａが延びているので、使用者が装着している第２着用具６０の色と調速器２のすぐ下に延びるロープ４０の着色端部４０ａの色が全く異なるため、使用者に誤った使い方をしていることを確実に気付かせることができ、これ以降、適正な行動をとらせることができる。即ち、使用者は、装着すべきではない第２着用具６０を外し、降下開始場所でリール８から解いてしまったロープ４０及びその端部に連結されている第２着用具６０を窓やベランダから建物の外へ投下し、ロープ４０の絡みや捩れ等、異常の有無を確認した後、調速器２のすぐ下に延びるロープ４０の赤色Ｒの着色端部４０ａと同色の装着すべき適正な赤色Ｒの第１着用具５０を装着し、安全に降下することができるものである。
【００２４】
第１及び第２着用具５０，６０とロープ４０両端の着色には、色合いのはっきりした強い原色、例えば光の３原色（赤、緑、青）や絵の具・印刷インク等の３原色（青緑・赤紫・黄）のうち２色、例えば上記のように赤色Ｒと青色Ｂの２色を使用し、また、ロープ４０両端の着色端部４０ａ，４０ｂ以外にはその外装の素材色（白色）を残すように無着色部４０ｃを設けているので、調速器２のすぐ下に延びているロープ４０端部の着色端部４０ａ又は４０ｂの色がよく目立ち、装着すべき着用具５０又は６０の判別・確認が確実、かつ迅速・容易に行うことができる。
【００２５】
降下開始場所から容易に見える位置には、使用者が装着すべき着用具５０又は６０を色で確認させるための表示手段１００を設けているので、降下する使用者に対して着用具５０又は６０が装着すべき適正なものか、そうでないかの判別・確認を効果的に行なわせることができる。この場合の表示手段１００として、降下開始場所から容易に見える調速器２の外側面に、例えば「着用具とロープが同色を確認」等の文字を印刷したラベル１１０を貼り付けている。このラベル表示はコストが安い上に、調速器２の重量増及び大形化もなく、しかも十分な表示性能も得ることができ、容易に採用することができる。
【００２６】
以上から明らかなように、第１の実施例の緩降機Ｐ１によれば、着用具５０又は６０の色と調速器２のすぐ下に延びているロープ４０の着色端部４０ａ又は４０ｂの色が同色であることを確認することで、緊急時であっても最初の使用者から確実に装着すべき着用具５０又は６０を装着し、安全に降下することができた。
【００２７】
図５は本発明に係る実施の形態による第２の実施例の緩降機の外観図である。なお、第２の実施例の緩降機について、図４に示した第１の実施例の緩降機Ｐ１と同一部分には同一符号を付して、その説明を省略し、相違する部分について説明する。また、収納・保管方法及び使用方法も同じである。
【００２８】
図５において、第２の実施例の緩降機Ｐ２は、調速器２に、ロープ４０の両端に設けられた着色端部４０ａ，４０ｂの色Ｒ，Ｂを検出するための色検出手段である色センサー１２０が設けられていると共に、その色センサー１２０の出力に基づいて使用者が装着すべき着用具５０又は６０を使用者にスピーカ１３０を通じて音声により報知する報知手段であるＣＰＵで構成する制御回路１４０とが設けられている。また、制御回路１３０には、電源として１次電池又は２次電池が設けられている。さらに、制御回路１３０を起動するために緩降機Ｐ２の使用を検出する図示しない使用検出手段が設けられている。この検出手段は、例えば調速器２を取付具９に取り付けた時に調速器２の荷重により接点を閉じるスイッチで構成することができる。
【００２９】
使用検出手段が緩降機Ｐ２の使用開始を検出すると、制御回路１４０に電源が供給されてこの制御回路１４０が起動し、報知プログラムにしたがって、色センサー１２０に電源を供給してこれを作動させ、色センサー１２０の出力を読み込み、記憶している色データと比較し、調速器２のすぐ下に延びているロープ４０の着色端部４０ａ又は４０ｂの色を判別し、判別した色と同色の着用具５０又は６０を使用者が装着すべき着用具５０又は６０として選定する。そして、選定した装着すべき着用具５０又は６０に応じた音声データをメモリから読み出してスピーカ１３０に連続的或いは間欠的、例えば５秒〜１０秒に１回繰り返し出力し、例えば「ＯＯ色の着用具を装着してください」等の音声をスピーカ１４０から発生させ、使用者に対して装着すべき着用具５０又は６０を報知する。したがって、使用者は、制御回路１４０により指定された色の着用具５０又は６０を装着し、さらに装着した着用具５０又は６０の色と調速器２のすぐ下に延びているロープ４０の着色端部４０ａ又は４０ｂの色が同色であることを確認することで、緊急時であっても最初の使用者から確実に装着すべき着用具５０又は６０を装着し、安全に降下することができた。
【００３０】
図５においては、調速器２に、色センサー１２０、スピーカー１３０及び制御回路１４０、使用検出手段を配設した例を示したが、これらは例えば調速器２の近傍である取付具９のアーム９ａの先端部に配設してもよい。しかしながら、色センサー１２０については、その種類によるが調速器２に設ける方が、ロープ４０の着色端部４０ａ又は４０ｂの色を、価格が安く、軽量コンパクトな色センサーで簡単、かつ精度よく検出する上で有利である。また、図５においては、色センサー１２０を、調速器２のハウジングのロープ出入口部に配設した例を示したが、これも色センサーの種類によるが、調速器２のハウジング内部に配設し、外部の光が届かず、ロープ４０が２重にならない位置、例えば滑車に巻き掛けられているロープ４０の着色端部４０ａ又は４０ｂの色を検出する方が、精度上望ましい。さらに、少なくとも色センサー１２０、スピーカー１３０及び制御回路１４０、その制御回路１４０の電源、使用検出手段は、調速器２或いはその近傍の取付具９のアーム９ａの先端部の何れか一方に一括して配設することで、電源が１つで済み、信号伝達用の無線機が不要になり、低コスト、軽量コンパクト化を実現する上で有利である。
【００３１】
図６は本発明に係る実施の形態による第３の実施例の緩降機の外観図である。なお、第３の実施例の緩降機についても、図４に示した第１の実施例の緩降機Ｐ１と同一部分には同一符号を付して、その説明を省略し、相違する部分について説明する。また、収納・保管方法及び使用方法も同じである。
【００３２】
図６において、第３の実施例の緩降機Ｐ３は、第１及び第２着用具５０，６０には、そのベルト５０ａ，６０ａそれぞれに異なる信号を出力する発信器であって、送信距離がロープ４０の着色端部４０ａ，４０ｂの長さと同程度の近距離、例えば３ｍ以内と短く、かつ電源として１次電池又は２次電池を有する発信器１５０，１６０が設けられると共に、調速器２には、前記各発信器１５０，１６０からの信号を送受信器１７０により受信し、受信した信号に基づいて使用者が装着すべき着用具５０又は６０を使用者にスピーカ１８０を通じて音声により報知する報知手段であるＣＰＵで構成する制御回路１９０とが設けられている。また、前記制御回路１９０には、第２の実施例の緩降機Ｐ２の制御回路１４０と同様に、電源として１次電池又は２次電池が設けられている。さらに、制御回路１９０を起動するために緩降機Ｐ３の使用検出手段が設けられている。この使用検出手段も、第２の実施例の緩降機Ｐ２の使用検出手段と同様のものが採用できる。
【００３３】
使用検出手段が緩降機Ｐ３の使用開始を検出すると、制御回路１９０に電源が供給されてこの制御回路１９０が起動し、報知プログラムにしたがって、送受信器１７０に電源を供給してこれを作動させると共に、送受信器１７０から各発信器１５０，１６０の起動信号を送信し、各発信器１５０，１６０を作動させてそれぞれから異なる信号を連続的或いは間欠的、例えば１〜５秒に１回繰り返し出力させる。制御回路１９０は、調速器２に接近し、そのすぐ下に吊り下げられる着用具５０又は６０の発信器１５０又は１６０からの信号のみを受信することで、調速器２のすぐ下に吊り下げられる着用具５０又は６０（調速器２のすぐ下に延びているロープ４０の着色端部４０ａ又は４０ｂの色と同色の着用具５０又は６０）を使用者が装着すべき着用具５０又は６０として選定する。そして、選定した装着すべき着用具５０又は６０に応じた音声データをメモリから読み出してスピーカ１８０に連続的或いは間欠的、例えば５秒〜１０秒に１回出力し、例えば「ＯＯ色の着用具を装着してください」等の音声をスピーカ１８０から発生させ、使用者に対して装着すべき着用具５０又は６０を報知する。したがって、使用者は、制御回路１９０により指定された色の着用具５０又は６０を装着し、さらに装着した着用具５０又は６０の色と調速器２のすぐ下に延びているロープ４０の着色端部４０ａ又は４０ｂの色が同色であることを確認することで、緊急時であっても最初の使用者から確実に装着すべき着用具５０又は６０を装着し、安全に降下することができた。
【００３４】
図６においては、調速器２に、スピーカー１８０及び制御回路１９０、使用検出手段を配設した例を示したが、これらは例えば調速器２の近傍である取付具９のアーム９ａの先端部に配設してもよい。また、発信機１５０，１６０を除き、少なくともスピーカー１８０及び制御回路１９０、その制御回路１９０の電源、使用検出手段は、調速器２或いはその近傍の取付具９のアーム９ａの先端部の何れか一方に一括して配設することで、これらの電源が１つで済み、信号伝達用の無線機が不要になり、低コスト、軽量コンパクト化を実現する上で有利である。
【００３５】
以上の第２及び第３の実施例の緩降機Ｐ２，Ｐ３において、制御回路１９０を、調速器２を取付具９に取り付けることで起動させた後、所定時間、例えば１０〜３０秒間或いは所定回数、例えば３〜５回、例えば「リールを外に投下してください」等のリール８の投下指示をスピーカ１３０，１８０を通じて音声により使用者に報知し、その後、上記したように使用者に対して装着すべき着用具５０又は６０を報知する報知手段を設けることが望ましい。この報知手段を採用することで、緩降機Ｐ２，Ｐ３の最初の使用者が、誤って降下開始場所でリール８に巻かれているロープ４０を解き延ばし、延ばされたロープ４０の端部に連結されている着用具５０又は６０を身体に装着してしまうのを防止することができる。
【００３６】
なお、第２及び第３の実施例の緩降機Ｐ２，Ｐ３の使用検出手段としては、スイッチの他、荷重センサー、感圧センサー、歪センサー等を用いることで、調速器２を取付具９に取り付けた時にその調速器２の荷重により緩降機Ｐ２の使用を検出することもできる。また、収容箱の開閉により緩降機Ｐ２，Ｐ３の使用を検出することもできる。例えば収納箱が開かれた時に（閉じられた時に）、前記制御回路１４０，１９０に対して報知プログラムの実行信号（終了信号）を送信し、制御回路１４０，１９０の報知プログラムを実行（終了）させるもので、この場合には、収容箱に、この開閉を検出するスイッチと、そのスイッチの出力に基づいて使用信号（不使用信号）を送信する送信器と、そのスイッチ及び送信機の電源として１次電池又は２次電池が設けられる一方、前記制御回路１４０，１９０には、収容箱の送信機からの緩降機Ｐ２，Ｐ３の使用信号（不使用信号）を受信する受信器が設けられる。また、調速器２の位置により緩降機Ｐ２の使用を検出することもできる。例えば送信距離を極めて短距離、例えば１ｍ以内に抑えた送受信器を用い、送信器と受信器のいずれか一方を調速器２に設け、他方を、例えば収容箱或いは取付具９のアーム９ａ先端部に設け、調速器２が収容箱から取り出されて取付具９に取り付けられ、調速器２が収容箱から離反して送信器と受信器間の通信が不通になること、逆に調速器２が取付具９のアーム９ａ先端部に接近して送信器と受信器間の通信が可能になることで、緩降機Ｐ２，Ｐ３の使用を検出し、報知プログラムの実行スイッチが入り、前記制御回路１４０，１９０に対して報知プログラムの実行信号（終了信号）を与え、制御回路１４０，１９０の報知プログラムを実行させるものである。また、収容箱からの取り出しにより緩降機Ｐ２，Ｐ３の使用を検出することができる。例えばピンを抜くとブザーが鳴る周知の防犯ブザーと同様の仕組みを用い、調速器２が収納箱から取り出されると、収納箱に丈夫な紐等で連結されているピンが調速器２から抜けて、前記制御回路１４０，１９０の電源スイッチが入り、前記制御回路１４０，１９０に対して電源を供給し、制御回路１４０，１９０の報知プログラムを実行させるもので、この場合、緩降機Ｐ２，Ｐ３を収容箱に収容する際、ピンを調速器２に差し込むことで、前記制御回路１４０，１９０に対する電源供給を断つことができる。
【００３７】
以上の各種使用検出手段のうち、収容箱からの取り出しにより緩降機Ｐ２，Ｐ３の使用を検出するものを採用することで、緩降機Ｐ２，Ｐ３の使用開始時点から避難が完了するまで、その緩降機Ｐ２，Ｐ３の使用方法を順次スピーカ１３０，１８０を通じて音声により使用者に報知することができる。
【００３８】
第２及び第３の実施例の緩降機Ｐ２，Ｐ３の制御回路１４０，１９０の電源、その他の構成要素に使用される電源は、緩降機Ｐ２，Ｐ３の定期点検時に交換或いは充電することができる。
【００３９】
本実施例では、調速器２の連結部３が、安全環３ａと止め金具３ｂで構成された可搬式の緩降機を示したが、調速器２の連結部３が直接取付具９に固定された固定式の緩降機にも、本発明を適用することができる。
【図面の簡単な説明】
【００４０】
【図１】従来の緩降機の収納状態を示す外観図である。
【図２】従来の緩降機の使用状態を示す外観図である。
【図３】従来の緩降機による降下状態を示す外観図である。
【図４】本発明に係る実施の形態による第１の実施例の緩降機の外観図である。
【図５】本発明に係る実施の形態による第２の実施例の緩降機の外観図である。
【図６】本発明に係る実施の形態による第３の実施例の緩降機の外観図である。
【符号の説明】
【００４１】
１，Ｐ１，Ｐ２，Ｐ３，緩降機
２  調速器
３  調速器の連結部
３ａ  安全環
３ｂ  止め金具
４，４０  ロープ
４０ａ，４０ｂ  ロープの着色端部
５，５０  第１着用具
６，６０  第２着用具
７  緊結金具
８  リール
９  取付具
９ａ  取付具のアーム
９ｂ  取付具の吊り環
１００  表示手段
１１０  ラベル
１２０  色センサー（色検出手段）
１３０，１８０  スピーカー
１４０，１９０  制御回路（報知手段）
１５０，１６０  発信器
１７０  送受信器
Ｒ  赤色
Ｂ  青色
【図１】
2006187502.tif 000003
【図２】
2006187502.tif 000004
【図３】
2006187502.tif 000005
【図４】
2006187502.tif 000006
【図５】
2006187502.tif 000007
【図６】
2006187502.tif 000008